(57)【要約】      （修正有）【課題】バッグをベルトに装着する際に、バッグの姿勢を安定した状態に保持することにより、収納物の偏り等を抑制してその出し入れを容易にすることができ、また、バッグのみの交換を可能にして、その取り替えを容易なものとするベルト吊りバッグを提供する。【解決手段】バッグ本体３と、このバッグ本体をベルト２に取り付ける一対の吊り下げ具４とからなり、これらの吊り下げ具が、ベルトを取り囲むように形成された吊り部材５と、この吊り部材に取り付けられて、バッグ本体が着脱可能に連結される環状のフック部材６とによって構成されている。【選択図】図１
0003178540.tif 000002
【実用新案登録請求の範囲】
【請求項１】
ベルトに吊り下げて使用されるベルト吊りバッグであって、バッグ本体と、このバッグ本体を前記ベルトに取り付ける一対の吊り下げ具とからなり、これらの吊り下げ具が、前記ベルトを取り囲むように形成された吊り部材と、この吊り部材に取り付けられて、前記バッグ本体が着脱可能に連結される環状のフック部材とによって構成されていることを特徴とするベルト吊りバッグ。
【請求項２】
前記吊り部材が、帯状体を２つ折りにして形成され、その一端部に前記フック部材が取り付けられ、前記帯状体の他端部が、前記帯状体の一端部近傍に重畳させられているとともに、その重畳部に設けられた連結手段によって接離可能に連結されていることを特徴とする請求項１に記載のベルト吊りバッグ。
【請求項３】
前記フック部材が、一部に不連続部を有する環状の本体と、この本体の不連続部を開閉するとともに、閉位置に係止されるレバーとによって構成されていることを特徴とする請求項１に記載のベルト吊りバッグ。
【請求項４】
バッグ本体をベルトに取り付ける吊り下げ具であって、この吊り下げ具が一対設けられているとともに、これらの吊り下げ具が、前記ベルトを取り囲むように形成された吊り部材と、この吊り部材に取り付けられて、前記バッグ本体が着脱可能に連結される環状のフック部材とによって構成されていることを特徴とする。
【考案の詳細な説明】
【技術分野】
【０００１】
本考案は、ベルトに吊り下げて使用されるベルト吊りバッグに関するものである。
【背景技術】
【０００２】
小物類等を持ち歩く場合、一般的にはポーチ等に収納して小物類がばらけることを防止するようにしている。
【０００３】
しかしながら、ポーチ等は手に持つ必要があることから、必然的に少なくとも片手がふさがれてしまい、両手を使う作業の支障となっている。
【０００４】
このような不具合を解消するために、たとえば特許文献１に示されるように、小物を収納する袋をベルトに吊り下げるようにした技術が提案されている。
【先行技術文献】
【特許文献】
【０００５】
【特許文献１】特開２００８−１２２５０号公報
【考案の概要】
【考案が解決しようとする課題】
【０００６】
前述した従来の技術によって、両手が開放された状態で小物類を携帯することが可能となったが、なお、つぎのような解決すべき問題点が残されている。
【０００７】
すなわち、前述した従来の技術にあっては、収納する小物類の種類に合わせて袋を選択する場合や、服装に合わせて袋を取り替える場合に、即座に袋のみを交換することができず、その作業が繁雑なものとなっているといった問題点である。
【０００８】
本考案は、前述した従来の技術において残されている問題点を解決することができるベルト吊りバッグを提供することを課題とする。
【課題を解決するための手段】
【０００９】
本考案の請求項１に記載のベルト吊りバッグは、ベルトに吊り下げて使用されるベルト吊りバッグであって、バッグ本体と、このバッグ本体を前記ベルトに取り付ける一対の吊り下げ具とからなり、これらの吊り下げ具が、前記ベルトを取り囲むように形成された吊り部材と、この吊り部材に取り付けられて、前記バッグ本体が着脱可能に連結される環状のフック部材とによって構成されていることを特徴としている。
【００１０】
このような構成とすることにより、前記フック部材を操作することによってバッグ本体の着脱を行なうことができるので、前記吊り下げ具をバンドに取り付けた状態でバッグ本体のみを交換することができ、この結果、バッグ本体の交換操作を簡便なものとすることができる。
【００１１】
そして、前記フック部材は、請求項３に記載のように、一部に不連続部を有する環状の本体と、この本体の不連続部を開閉するとともに、閉位置に係止されるレバーとによって構成することによって、前記レバーを開位置に移動させつつ前記バッグ本体の連結部を前記本体内に押し込み、その後に前記レバーを閉位置に戻すことにより前記バッグを吊り下げることができるので、前述した請求項１の効果を確実に実現することができる。
【００１２】
また、前記吊り下げ具を一対設けたことにより、前記バッグ本体を、間隔をおいた２位置で吊り下げることができるので、前記バッグ本体の姿勢を安定させることができるばかりでなく、収納する小物類の偏り等を防止して、その出し入れを容易にする。
【００１３】
本考案の請求項２に記載のベルト吊りバッグは、請求項１に記載の前記吊り部材が、帯状体を２つ折りにして形成され、その一端部に前記フック部材が取り付けられ、前記帯状体の他端部が、前記帯状体の一端部近傍に重畳させられているとともに、その重畳部に設けられた連結手段によって接離可能に連結されていることを特徴としている。
【００１４】
このような構成とすることにより、前記吊り部材を、衣服に装着した状態の前記ベルトを取り囲むように差し込んだ後に、その両端部を連結手段によって接合することにより前記吊り下げ具を装着することができる。
【００１５】
したがって、前記ベルトを衣服に装着した状態で着脱することができるので、その操作が簡便である。
【００１６】
本考案の請求項４に記載の吊り下げ具は、バッグ本体をベルトに取り付ける吊り下げ具であって、この吊り下げ具が一対設けられているとともに、これらの吊り下げ具が、前記ベルトを取り囲むように形成された吊り部材と、この吊り部材に取り付けられて、前記バッグ本体が着脱可能に連結される環状のフック部材とによって構成されていることを特徴とする。
【００１７】
このような吊り下げ具とすることにより、ショルダーバッグ等の種々のバッグを、その離間した２箇所においてベルトに吊り下げることができ、これによって、バッグの使用形態の多様化を図ることができる。
【考案の効果】
【００１８】
本考案によれば、バッグ本体をベルトに装着する際に、バッグ本体の姿勢を安定した状態に保持することにより、収納物の偏り等を抑制してその出し入れを容易にすることができ、また、バッグ本体のみの交換を可能にして、その取り替えを容易にすることができる。
【図面の簡単な説明】
【００１９】
【図１】本考案の一実施形態を示すもので、腰ベルトに装着した状態を示す概略図である。
【図２】本考案の一実施形態を示すもので、吊り下げ具の正面図である。
【図３】本考案の一実施形態を示すもので、吊り下げ具の側面図である。
【図４】本考案の一実施形態を示すもので、吊り下げ具の装着手順を示す側面図である。
【図５】バッグの他の例を示す外観斜視図である。
【図６】図５のバッグをベルトに装着した状態を示す正面図である。
【考案を実施するための形態】
【００２０】
以下、本考案の一実施形態を、図面を参照して説明する。
図１において符号１は、本実施形態に係わるベルト吊りバッグを示し、このベルト吊りバッグ１は、衣服Ｗ（ズボン）に装着されたベルト２に吊り下げて使用されるものであって、バッグ本体３と、このバッグ本体３を前記ベルト２に取り付ける一対の吊り下げ具４とからなり、これらの吊り下げ具４が、前記ベルト２を取り囲むように形成された吊り部材５と、この吊り部材５に取り付けられて、前記バッグ本体３が着脱可能に連結される環状のフック部材６とによって構成されている。
【００２１】
前記吊り部材５は、帯状体を２つ折りにして形成され、その一端部に前記フック部材６が取り付けられ、前記帯状体の他端部が、前記帯状体の一端部近傍に重畳させられているとともに、その重畳部に設けられた連結手段７によって接離可能に連結されている。
【００２２】
前記吊り部材５は、本実施形態では、帯状体として革が用いられ、図２および図３に示すように、その一端部が、略矩形状に形成されている連結金具８の一部を取り囲むように折り曲げられて縫製若しくは接着によって固定されることにより、前記連結金具８が固定され、この連結金具８を介して前記フック部材６が取り付けられている。
【００２３】
前記フック部材６は、一部に不連続部を有する環状のフック本体６ａと、このフック本体６ａの不連続部を開閉するとともに、閉位置に係止されるレバー６ｂとによって構成されている。
そして、このレバー６ｂは、図示しない付勢部材により、弾性的に前記閉位置に付勢されている。
【００２４】
前記連結手段７として、本実施形態においてはホックを例示してあるが、これに代えて、圧着式の面状のファスナーを用いることもできる。
【００２５】
また、前述した一対の吊り下げ具４は、それらの吊り部材５が、図２および図３に示すように、革等からなる連結帯９の両端部に縫製若しくは接着等によって固定されることによって、所定間隔をおいて連結されている。
【００２６】
さらに、前記バッグ本体３の上縁部には、その幅方向の両端部を結ぶように吊り下げ紐１０が設けられている。
【００２７】
このように構成された本実施形態に係わるベルト吊りバッグ１は、まず、前記各吊り下げ具４の吊り部材５を、それぞれの連結手段７を引き離して直線状にし、これらの吊り部材５を、図４に示すように、前記ベルト２を取り囲むようにして装着し、ついで、前記吊り部材５の両端部を前記連結手段７によって連結する。
これによって、図２に示すように吊り下げ具４が前記ベルト２に装着される。
【００２８】
ついで、前記各吊り下げ具４のフック部材６に、前記バッグ本体３に取り付けられている吊り下げ紐１０を掛け止めすることによってバッグ本体３を吊り下げる。
【００２９】
これは、前記吊り下げ紐１０を前記レバー６ｂに押し付け、このレバー６ｂを前記フック本体６ａの内側へ移動させることによって前記フック本体６ａの不連続部を開放させ、この不連続部を介して前記吊り下げ紐１０をフック本体６ａ内に押し込むことによって行なわれる。
【００３０】
そして、前記吊り下げ紐１０をフック本体６ａ内に押し込んだ後、前記吊り下げ紐１０とレバー６ｂとの当接を解除すると、このレバー６ｂが付勢部材の付勢力によって閉位置に係止され、これによって、前記フック部材６の不連続部が閉塞されて、前記吊り下げ紐１０が前記フック部材６によって保持される。
【００３１】
このようにして、前記バッグ本体３が前記ベルト２に吊り下げられ、使用者は、前記バッグ本体３に収納されている小物類を腰に携帯することができる。
【００３２】
そして、前記バッグ本体３は、離れた２位置において吊り下げられていることから、前記ベルト２との相対的な位置関係がほぼ拘束され、これによって、前記バッグ本体３の姿勢が保持されるとともに、収納物の偏り等が防止される。
【００３３】
また、前記バッグ本体３を、前記ベルト２を介して腰に装着した状態において、使用者は両手が自由に使える。
【００３４】
一方、前記ベルト吊りバッグ１を取り外すには、前記吊り下げ紐１０をフック部材６から取り外すか、または、前記吊り部材５の前記連結手段７を切り離して前記吊り部材５を直線状にして前記ベルト２から引き抜く。
【００３５】
この何れの方法においても、前記ベルト２を装着した状態でバッグ本体２の取り外しないしは取り替えを行なうことができる。
したがって、そのバッグ本体２の取り外しや交換の作業がきわめて簡便な作業となる。
【００３６】
なお、前記実施形態において示した各構成部材の諸形状や寸法等は一例であって、意匠的な要望や設計要求等に基づき種々変更可能である。
【００３７】
たとえば、前記実施形態においては、前記吊り部材５が連結手段７によって接離可能に連結された例を示したが、前記吊り部材５は、必ずしも接離可能に連結されている必要はない。
この場合には、１対の吊り部材５の輪内にベルトを通すようにして、吊り部材５を装着することができる。
また、このような吊り部材５を用いることにより、バッグが引っ張られた場合などでも、吊り部材５がベルトから外れることを防ぐことができる。また、このような吊り部材５を用いる場合であっても、バッグ本体３は容易に取り外すことができるので不便を感じることはない。
【００３８】
また、前記実施形態においては、両吊り下げ具４を連結帯９によって連結した例について示したが、この連結帯９は必ずしも必要ではなく、省くことも可能である。
【００３９】
また、前述した吊り下げ紐１０に代えて、前記バッグ本体３の両端部のそれぞれに、環状の連結金具を取り付けておくようにすることも可能である。
【００４０】
さらに、図５に示すようなショルダーバッグ１１をベルト２へ装着することもできる。
すなわち、図６に示すように、ショルダーバッグ１１の肩紐１２を取り外してバッグ本体１３のみとし、このバッグ本体１３を、前記肩紐１２が取り付けられていた両端部の連結環１４を、それぞれ、前記各吊り下げ具４のフック部材６へ掛け止めすることによって、前述したショルダーバッグ１１を腰に装着することができる。
【００４１】
ここで、前記肩紐１２は、必ずしも取り外す必要はなく、ショルダーバッグ１１の使用形態の多様化を図ることができる。
【符号の説明】
【００４２】
１  ベルト吊りバッグ
２  ベルト
３  バッグ本体
４  吊り下げ具
５  吊り部材
６  フック部材
６ａ  フック本体
６ｂ  レバー
７  連結手段
８  連結金具
９  連結帯
１０  吊り下げ紐
１１  ショルダーバッグ
１２  肩紐
１３  バッグ本体
１４  連結環
Ｗ  衣服
【図１】
0003178540.tif 000003
【図２】
0003178540.tif 000004
【図３】
0003178540.tif 000005
【図４】
0003178540.tif 000006
【図５】
0003178540.tif 000007
【図６】
0003178540.tif 000008